Podtech/llm-jp-corpus-v4-ja_patent huggingface dataset:
【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】  ２つの同型の半円筒型の本体部材（１，１’）と，当該一方及び他方の半円筒型の本体部材（１，１’）の両側端部に設けられた凸状部材（２，２’）と，当該一方及び他方の半円筒型の本体部材（１，１’）の外周のそれぞれ対称的な位置に設けられたそれぞれ１つのスプリング部材（３，３’）と，からなることを特徴とする薬剤分包紙用管用アダプター。
【請求項２】  ２つの同型の半円筒型の本体部材（１，１’）と，当該一方及び他方の半円筒型の本体部材（１，１’）の両側端部に設けられた凸状部材（２，２’）と，当該一方及び他方の半円筒型の本体部材（１，１’）の外周のそれぞれ対称的な位置に設けられたそれぞれ１つのスプリング部材（３，３’）と，当該一方及び他方の半円筒型の本体部材（１，１’）の頂部の円周上に設けられた１つのピン（４，４’）と，からなることを特徴とする薬剤分包紙用管用アダプター。          
【手続補正２】
【補正対象書類名】明細書
【補正対象項目名】０００７
【補正方法】変更
【補正の内容】
【０００７】
【課題を解決するための手段】
前記目的を達成するため、本発明の薬剤分包紙用管アダプターは、２つの同型の半円筒型の本体部材と，当該一方及び他方の半円筒型の本体部材の両側端部に設けられた凸状部材と，当該一方及び他方の半円筒型の本体部材の外周のそれぞれ対称的な位置に設けられたそれぞれ１つのスプリング部材と，からなる。
【手続補正３】
【補正対象書類名】明細書
【補正対象項目名】０００８
【補正方法】変更
【補正の内容】
【０００８】
さらに、本発明の薬剤分包紙用管アダプターは、２つの同型の半円筒型の本体部材と，当該一方及び他方の半円筒型の本体部材の両側端部に設けられた凸状部材と，当該一方及び他方の半円筒型の本体部材の外周のそれぞれ対称的な位置に設けられたそれぞれ１つのスプリング部材と，当該一方及び他方の半円筒型の本体部材の頂部の円周上に設けられた１つのピンと，からなる。
【手続補正４】
【補正対象書類名】明細書
【補正対象項目名】０００９
【補正方法】変更
【補正の内容】
【０００９】
又、薬剤分包紙用管の上部円周に請求項１又は２記載の２つの同型の半円筒型の本体部材を接着させ，当該薬剤分包紙用管の下部円周に、請求項１記載の２つの同型の半円筒型の本体部材を接着させて、使用することができる。
【手続補正書】
【提出日】平成17年12月9日(2005.12.9)
【手続補正１】
【補正対象書類名】明細書
【補正対象項目名】特許請求の範囲
【補正方法】変更
【補正の内容】
【特許請求の範囲】
【請求項１】  遊技盤を嵌め込み可能な基枠と、
前記遊技盤に設けられ、手指を挿入可能な隙間と、
前記遊技盤を前記基枠に締め付ける締付手段と、
を具備したことを特徴とする遊技機。
【請求項２】  前記取っ手を用いて前記締付手段による遊技盤の締め付けを解除する解除手段をさらに備えたことを特徴とする請求項１に記載の遊技機。
【請求項３】  遊技盤をその前後の一方向から受け入れて嵌め込み可能な基枠と、
前記遊技盤の周縁部に設けられ、前記遊技盤から突き出る突出位置と前記遊技盤に向けて畳み込まれた畳込位置との間で変位し、前記突出位置にあるとき前記遊技盤の取っ手となる一方、前記遊技盤が前記基枠に嵌め込まれた状態で前記畳込位置に変位することにより前記遊技盤を前記基枠に対して締め付ける締付具とを具備したことを特徴とする遊技機。
【請求項４】  請求項３に記載の遊技機において、
前記締付具は、
前記遊技盤に基端が回動自在に支持され、この基端から回動軸線を挟んで両方向に延びる本体と、
前記本体の一端に形成されて前記取っ手となる部位と、
前記本体の他端に形成され、前記本体の回動に伴い前記畳込位置に変位することで前記遊技盤の締め付けをなす締付部位とを含み、
前記基枠は、
前記締付具が前記畳込位置に向けて変位されるときに前記締付部位を受け入れる受入溝と、
前記受入溝内に形成され、前記締付具が前記畳込位置まで変位したとき前記締付部位に当接することで前記締付具に前記遊技盤の締め付けのための反力を付与する当接部とを有することを特徴とする遊技機。
【請求項５】  請求項４に記載の遊技機において、
前記当接部は、前記締付部位との当接により前記遊技盤の前記基枠への嵌め込み方向およびこれに直交する方向の２方向へ反力を付与することを特徴とする遊技機。
【請求項６】  請求項３から５のいずれかに記載の遊技機において、
前記締付具が前記遊技盤の上縁部に設けられていることを特徴とする遊技機。
【請求項７】  請求項３から５のいずれかに記載の遊技機において、
前記締付具が前記遊技盤の隅角部に設けられていることを特徴とする遊技機。
【請求項８】  請求項３から７のいずれかに記載の遊技機において、
前記遊技盤は、その中央に形成された遊技領域と、この遊技領域外に配置された装飾部とを含み、
前記締付具は、前記装飾部に設けられていることを特徴とする遊技機。
【手続補正２】
【補正対象書類名】明細書
【補正対象項目名】００１５
【補正方法】変更
【補正の内容】
【００１５】
より好ましくは、上述した締付具は、遊技盤に基端が回動自在に支持され、この基端から回動軸線を挟んで両方向に延びる本体と、この本体の一端に形成されて取っ手となる部位と、本体の他端に形成され、この本体の回動に伴い畳込位置に変位することで遊技盤の締め付けをなす締付部位とを含む。また、これに合わせて基枠は、締付具が畳込位置に向けて変位されるとき、その締付部位を受け入れる受入溝と、この受入溝内に形成され、締付具が畳込位置まで変位したとき締付部位に当接することで締付具に遊技盤の締め付けのための反力を付与する当接部とを有する（解決手段４）。
【手続補正３】
【補正対象書類名】明細書
【補正対象項目名】００１８
【補正方法】変更
【補正の内容】
【００１８】
上述の態様では締付具の本体が回動可能であるため、突出位置と畳込位置との間の変位がスムーズに行われるし、その回動を利用して遊技盤の締め付けとその解除を行うことができるため、きわめて機能的・合理的な構造となる。また本体には、回動中心を挟んでその両端に取っ手となる部位と締付部位とがそれぞれ形成されているため、一端側と他端側とのレバー比を適切に設定することで遊技盤の締め付け力を所望に設定することができる。
【手続補正４】
【補正対象書類名】明細書
【補正対象項目名】００２２
【補正方法】変更
【補正の内容】
【００２２】
また遊技盤は、その中央に形成された遊技領域と、この遊技領域外に配置された装飾部とを含んでおり、この装飾部に締付具が設けられている態様であってもよい（解決手段８）。例えば、パネル飾りやコーナ飾りと称される装飾部が遊技盤に付される態様では、これら装飾部に予め締付具を設けておくことで締付具の取り付けを容易にすることができる。またこの場合、締付具を装飾部と一体にして遊技盤に取り付けることができるため、別途、締付具と基枠（受入溝）との位置合わせを考慮する必要がない。
【手続補正書】
【提出日】平成17年12月16日(2005.12.16)
【手続補正１】
【補正対象書類名】明細書
【補正対象項目名】特許請求の範囲
【補正方法】変更
【補正の内容】
【特許請求の範囲】
【請求項１】
所定領域を視認可能な視認部材を備えた遊技機において、
前記視認部材には、表示対象を表示可能な表示可能領域を有してなる表示手段が設けられているとともに、
前記所定領域又はその近傍に発光手段が設けられており、
前記表示手段により前記表示可能領域での前記表示対象の表示が行われる場合、前記発光手段を消灯させる消灯手段を備えていることを特徴とする遊技機。
【請求項２】
前記発光手段は、前記所定領域へ光を照射する照明手段、及び、前記視認部材を介し外部へ光を照射する照射手段のうち少なくとも一方であることを特徴とする請求項１に記載の遊技機。
【請求項３】
遊技球を貯留する貯留手段と、
前記貯留手段上の遊技球を視認可能な視認部材とを備えた遊技機において、
前記視認部材には、表示対象を表示可能な表示可能領域を有してなる表示手段が設けられているとともに、
前記貯留手段上へ光を照射する発光手段が設けられており、
前記表示手段により前記表示可能領域での前記表示対象の表示が行われる場合、前記発光手段を消灯させる消灯手段を備えていることを特徴とする遊技機。
【請求項４】
前記貯留手段上の遊技球は、前記視認部材にて内封されており、循環使用されることを特徴とする請求項３に記載の遊技機。
【請求項５】
発射可能な遊技球の個数である発射可能球数を、前記表示可能領域に前記表示対象として表示可能としたことを特徴とする請求項４に記載の遊技機。
【請求項６】
発射可能な遊技球の個数である発射可能球数に合わせて、遊技球の映像である球映像を、前記表示対象として表示可能としたことを特徴とする請求項４又は５に記載の遊技機。
【請求項７】
前記球映像は、前記発射可能球数が、前記循環使用される遊技球の個数を上回ると表示されることを特徴とする請求項６に記載の遊技機。
【請求項８】
発射可能な遊技球の個数である発射可能球数が前記循環使用される遊技球の個数を下回ると、当該遊技球を内部に貯留することを特徴とする請求項５乃至７のいずれかに記載の遊技機。
【手続補正書】
【提出日】平成17年12月16日(2005.12.16)
【手続補正１】
【補正対象書類名】明細書
【補正対象項目名】特許請求の範囲
【補正方法】変更
【補正の内容】
【特許請求の範囲】
【請求項１】
遊技球を発射する発射手段と、
遊技者が前記発射手段を作動させる発射操作手段と、
発射された遊技球が案内される遊技領域と、
前記遊技領域内へ案内された遊技球が入球可能な入球手段とを備え、
前記入球手段への遊技球の入球に基づいて特定条件が成立した場合に、遊技者に有利な特定遊技状態が発生する遊技機であって、
所定条件の成立に基づき、遊技者に決定させる決定処理を行う構成であって、
遊技球を検出可能な特定球検出手段を前記遊技領域内に配置し、
前記決定処理に際しては、遊技者の操作に基づいて発射された遊技球が、前記特定球検出手段に検出されることによって、当該検出結果に基づいた決定結果が導出されることを特徴とする遊技機。
【請求項２】
遊技球を発射する発射手段と、
遊技者が前記発射手段を作動させる発射操作手段と、
発射された遊技球が案内される遊技領域と、
前記遊技領域内へ案内された遊技球が入球可能な入球手段とを備え、
前記入球手段への遊技球の入球に基づいて特定条件が成立した場合に、遊技者に有利な特定遊技状態が発生する遊技機であって、
所定条件の成立に基づき、複数の被選出情報のうちのいずれかを遊技者に選出させる選出処理を行う構成であって、
遊技球を検出可能な特定球検出手段を前記遊技領域内に配置し、
前記選出処理に際しては、遊技者の操作に基づいて発射された遊技球が、前記特定球検出手段に検出されることによって、当該検出結果に基づいた前記被選出情報が選出されることを特徴とする遊技機。
【請求項３】
前記特定球検出手段は、前記遊技領域内において遊技球を通過させるように構成された通過型の球検出手段であることを特徴とする請求項１又は２に遊技機。
【請求項４】
各種球検出手段によって遊技球が検出された場合に賞球の払出しを実行可能な払出機構を備えるとともに、
前記特定球検出手段を、当該特定球検出手段によって遊技球が検出された場合には賞球の払出しが行われない非賞球対象の球検出手段としたことを特徴とする請求項３に記載の遊技機。
【請求項５】
前記発射手段を前記遊技領域より下方位置に配置し、
前記発射手段により発射された遊技球を前記遊技領域の上部へと案内する誘導レールを前記遊技領域の側方位置に配置し、
前記入球手段を、入球させた遊技球を前記遊技領域の外部へ排出する構成とし、
前記特定球検出手段を、前記入球手段より上方位置に配置したことを特徴とする請求項３又は４に記載の遊技機。
【手続補正書】
【提出日】平成17年12月5日(2005.12.5)
【手続補正１】
【補正対象書類名】明細書
【補正対象項目名】００１３
【補正方法】変更
【補正の内容】
【００１３】
そこで、加熱プレス工程について説明する。
図４は、図１に示した医療用容器の製造方法を説明するための説明図である。図５は、図１に示した医療用容器の製造方法を説明するための説明図である。図６は、図４に示したシート状筒状体の上辺側部分かつ右側部分の拡大図である。図７は、図５に示したシート状筒状体の下辺側部分かつ左側部分の拡大図である。図８は、本発明の医療用容器の製造方法に使用する金型の説明図である。図９は、図８に示す金型を構成する熱金型の説明図である。図１０は、図９に示す熱金型の説明図である。図１１は、図９に示す熱金型の説明図である。
加熱プレス工程は、軟質合成樹脂によりチューブ状に形成され折り曲げられることにより形成された２つの側辺７，８を有するシート状筒状体２を準備し、シート状筒状体２の上辺および下辺を熱金型でプレスすることにより行われる。
シート状筒状体２としては、上述したシート状筒状体２が使用される。
【手続補正２】
【補正対象書類名】明細書
【補正対象項目名】００１６
【補正方法】変更
【補正の内容】
【００１６】
加熱プレス工程に使用される金型は、図８に示すように、シート状筒状体２を上側から押圧する熱金型７０と、熱金型受け台８０を備えている。シート状筒状体２は、受け台８０の上面に載置され、上側から熱金型７０によりプレスすることにより加熱プレスが行われる。
図８に示すように、熱金型受け台８０は、本体部８３と、本体部８３の上面に設けられた弾性層８４を備えている。受け台８０の表面（熱金型側面）は平坦に形成されている。本体部８３は、金属により形成することが好ましい。弾性層８４は、ある程度の耐熱性を有する弾性材料を使用することが好ましく、シリコーンゴム、フッ素樹脂系エラストマー等を使用することが好ましい。
【手続補正３】
【補正対象書類名】明細書
【補正対象項目名】００２６
【補正方法】変更
【補正の内容】
【００２６】
冷却プレス工程に使用される冷却金型としては、例えば、図１２に示すようなものが使用される。この例の冷却金型９０は、上辺用冷却金型部９１と下辺用冷却金型部９２を備えている。この例の冷却金型９０では、上辺用冷却金型部９１と下辺用冷却金型部９２が一体に形成されている。そして、上辺用冷却金型部９１および下辺用冷却金型部９２の溶融状態の上辺シール部５及び下辺シール部６をプレスする上辺プレス部９３および下辺プレス部９４は、平坦に形成されている。このため、溶融状態のシール部はほぼ均等な力でプレスされる。また、排出ポート取付部５１，６１に対応する部分も平坦に形成されている。また、図１２に示すように、液体収納部１５に対応する部分９５は、凹部状であり、非プレス部となっている。
【手続補正４】
【補正対象書類名】明細書
【補正対象項目名】００２７
【補正方法】変更
【補正の内容】
【００２７】
冷却金型９０の非冷却プレス領域形成部９６は、上辺プレス部９３，下辺プレス部９４より窪んだ形状となっている。溶融状態のシール部に非冷却プレス部を形成する。非冷却プレス領域形成部９６は、上辺プレス部９３，下辺プレス部９４の平坦面に対して、０．５〜１．５ｍｍの深さに形成されていることが好ましい。また、非冷却プレス領域形成部９６と上辺プレス部９３と下辺プレス部９４との境界部は、面取りされていることが好ましい。これにより、境界部におけるシールの剥離が防止される。また、冷却プレス形成部は、同じ深さに作製されていてもよく、上辺プレス９３と下辺プレス９４との境界部からだんだん深く作製されていてもよい。このような構成により、冷却金型でプレスしたとき、融着状態のシール部のうち両端部の他辺側に入り込む部分が冷却プレスされないため、液体収納部とのシール際およびその付近に空気が押し込まれずピンホールが発生することがない。
冷却金型プレス工程において、冷却金型プレスを行う場合には、金型の温度は、１０〜３０℃で行うことが好ましく、特に、１５〜２５℃であることが好ましい。また、冷却シール工程におけるシール面圧は、筒状体２の形成材料等によっても相違するが、１．０〜１５．０Ｎ／ｃｍ２であるのが好ましく、３．０〜７．５Ｎ／ｃｍ２であることがより好ましい。冷却プレスのプレス時間は、２〜８秒であることが好ましい。また、冷却プレス工程は、シール部５，６の冷却プレス非実行領域の上下方向への長さが、０．５〜１０ｍｍとなるように行うものであることが好ましい。
【手続補正５】
【補正対象書類名】明細書
【補正対象項目名】図面の簡単な説明
【補正方法】変更
【補正の内容】
【図面の簡単な説明】
【図１】
図１は、本発明の医療用容器の一実施例の正面図である。
【図２】
図２は、本発明の医療用容器の上側部分の拡大図である。
【図３】
図３は、本発明の医療用容器の下側部分の拡大図である。
【図４】
図４は、図１に示した医療用容器の製造方法を説明するための説明図である。
【図５】
図５は、図１に示した医療用容器の製造方法を説明するための説明図である。
【図６】
図６は、図４に示したシート状筒状体の上辺側部分かつ右側部分の拡大図である。
【図７】
図７は、図５に示したシート状筒状体の下辺側部分かつ左側部分の拡大図である。
【図８】
図８は、本発明の医療用容器の製造方法に使用される金型の説明図である。
【図９】
図９は、図８に示す金型を構成する熱金型の説明図である。
【図１０】
図１０は、図９に示す金型を構成する熱金型の説明図である。
【図１１】
図１１は、図９に示す金型を構成する熱金型の説明図である。
【図１２】  
図１２は、本発明の医療用容器の製造方法に使用される冷却金型の説明図である。
【符号の説明】
１  医療用容器
２  シート状筒状体
７，８  側辺
５，６  シール部
１５  液体収納部
１６  シール内縁側端部
【手続補正６】
【補正対象書類名】図面
【補正対象項目名】図９
【補正方法】変更
【補正の内容】
【図９】
2004187948.tif 000001
【手続補正書】
【提出日】平成17年12月1日(2005.12.1)
【手続補正１】
【補正対象書類名】明細書
【補正対象項目名】発明の名称
【補正方法】変更
【補正の内容】
【発明の名称】ホワイトバランス調整装置及びホワイトバランス調整方法
【手続補正２】
【補正対象書類名】明細書
【補正対象項目名】特許請求の範囲
【補正方法】変更
【補正の内容】
【特許請求の範囲】
【請求項１】  白検出範囲による白検出手段と、
肌検出範囲による肌色検出手段と、
白検出範囲より第１の色温度情報を算出する手段と、
前記肌検出範囲より第２の色温度情報を算出する手段と、
被写体までの距離を測定する手段と、
前記第１の色温度情報と前記第２の色温度情報と前記距離情報を用いて、第３の色温度情報を算出する第３の色温度情報算出手段と、
を備えることを特徴とするホワイトバランス調整装置。
【請求項２】  前記第３の色温度情報算出手段は、被写体までの距離情報を用いて前記第１の色温度情報と前記第２の色温度情報を加重平均する手段を備えることを特徴とする請求項１に記載のホワイトバランス調整装置。
【請求項３】  前記被写体までの距離を測定する手段は、被写体までの距離情報を入力する手段を備え、入力された距離情報又はオートフォーカス、又はマニュアルフォーカスの距離情報を用いることを特徴とする請求項１に記載のホワイトバランス調整装置。
【請求項４】  前記第２の色温度情報を用いる条件として、人肌アップの判定手段をさらに備えることを特徴とする請求項１に記載のホワイトバランス調整装置。
【請求項５】  前記人肌アップの判定手段は、肌検出範囲を分割した小領域に存在する全ての肌ブロック数を積分した全肌ブロック数を求める手段と、前記全肌ブロック数を撮像素子からの全ブロック数で割った肌ブロック含有率を求める手段を備えることを特徴とする請求項４に記載のホワイトバランス調整装置。
【請求項６】  前記人肌アップの判定手段は、重力センサを備え重力センサの出力によって縦と判別した場合、画面の縦方向上側を人肌領域とする手段と、重力センサの出力によって横と判別した場合、画面の横方向上側を人肌領域とする手段を備えることを特徴とする請求項４に記載のホワイトバランス調整装置。
【請求項７】  前記人肌アップの判定手段は、前記人肌領域において分割されたブロックの色評価値群を肌検出し、肌検出範囲を分割した小領域に存在する全ての肌ブロック数を積分した中央肌ブロック数を求める手段と、前記中央肌ブロック数を前記人肌領域からの全ブロック数で割った中央肌ブロック含有率を求める手段を備えることを特徴とする請求項５に記載のホワイトバランス調整装置。
【請求項８】  前記人肌アップの判定手段は、前記肌ブロック含有率がある値以上でありかつ第１の色温度が第２の色温度よりも低くさらに前記中央肌ブロック含有率がある値以上であるときに、人肌アップの判定を真とし、前記肌ブロック含有率がある値以上である条件と、第１の色温度が第２の色温度よりも低い条件と、前記中央肌ブロック含有率がある値以上である条件のどれかひとつでも満たさない場合、人肌アップの判定を偽とすることを特徴とする請求項７に記載のホワイトバランス調整装置。
【請求項９】  前記第３の色温度情報算出手段は、前記人肌アップの判定が真の場合前記第１の色温度情報と第２の色温度情報を加重平均して算出し、前記人肌アップの判定が偽の場合、前記第１の色温度情報を使う前記肌検出結果使用の判定手段を備えることを特徴とする請求項８に記載のホワイトバランス調整装置。
【請求項１０】  前記第２の色温度情報を用いる条件として前記人肌アップの判定手段に加えて被写体の明るさ情報および例外処理判定を備えることを特徴とする請求項４に記載のホワイトバランス調整装置。
【請求項１１】  前記肌色検出範囲は、肌色検出範囲を複数の小領域に分割する手段と、前記ブロックごとに求めた色評価値が各小領域に入る場合その数をカウントし、各小領域ごとに入った色評価値の総数を算出する手段とを備え、前記各小領域ごとの色評価値数により各小領域の色評価値に重み付けを行い、色温度情報を算出することを特徴とする請求項１に記載のホワイトバランス調整装置。
【請求項１２】  前記肌検出結果使用の判定手段は、被写体の輝度を測定する手段を備え、被写体の輝度が暗いときかつ前記人肌アップの判定条件が真のとき、肌検出結果使用の判定を真とし、前記被写体の輝度が暗い条件と前記人肌アップの判定条件のどれかひとつでも満たさない場合、前記肌検出結果使用の判定を偽とする請求項８に記載のホワイトバランス調整装置。
【請求項１３】  前記第３の色温度情報算出手段は、前記肌検出結果使用の判定が真の場合前記第１の色温度情報と第２の色温度情報を加重平均して算出し、前記肌検出結果使用の判定が偽の場合、前記第１の色温度情報を使う前記肌検出結果使用の判定手段を備えることを特徴とする請求項１２に記載のホワイトバランス調整装置。
【請求項１４】  前記第３の色温度情報算出手段は、前記肌検出結果使用判定が真でありかつ前記肌ブロック含有率が前記肌検出結果使用判定で定めた値に比べてずっと大きい場合、光源の色温度を誤判別したと判定する手段を備え、判定が真なら例外処理を行い、判定が偽なら例外処理を行わない例外処理判定手段を備えることを特徴とする請求項１２に記載のホワイトバランス調整装置。
【請求項１５】  前記例外処理判定手段は、判定が真のとき肌検出は前記人肌領域でのブロックで行う手段と、判定が偽のとき肌検出は前記第２の色温度情報算出方法と同様に、画面全体のブロックで行う手段を備えることを特徴とする請求項１４に記載のホワイトバランス調整装置。
【請求項１６】  前記被写体の輝度を測定する手段は、撮像素子の露光条件を利用して算出することを特徴とする請求項１に記載のホワイトバランス調整装置。。
【請求項１７】  前記第３の色温度情報は、撮影モードを指定する手段を備え、撮影モードが人物撮影モードの場合、前記第１の色温度情報と第２の色温度情報を加重平均する手段において、第２の色温度情報に大きな重みをつける手段を備えることを特徴とする請求項１に記載のホワイトバランス調整装置。
【請求項１８】  撮像素子からの信号を複数のブロックに分割する分割工程と、
前記複数のブロック毎に色評価値群を算出する算出工程と、
前記色評価群と予め設定した白検出範囲とから第１の色温度情報を算出する第１の色温度算出工程と、
前記色評価群と予め設定した肌検出範囲とから第２の色温度情報を算出する第２の色温度算出工程と、
被写体までの距離を測定する測定工程と、
前記第１の色温度情報と前記第２の色温度情報と前記測定工程で測定した距離情報とに基づいて、第３の色温度情報を算出する第３の色温度情報算出工程と、
を備えることを特徴とするホワイトバランス調整方法。
【手続補正書】
【提出日】平成17年12月6日(2005.12.6)
【手続補正１】
【補正対象書類名】明細書
【補正対象項目名】特許請求の範囲
【補正方法】変更
【補正の内容】
【特許請求の範囲】    
【請求項１】  直流電源にトランスの１次巻線とスイッチング素子の直列回路を接続し、前記スイッチング素子にこれをオンオフ制御する制御回路を接続し、前記トランスの２次巻線に第１の整流平滑回路を接続し、この出力を負荷に供給すると共に該出力に該出力の安定化を図る出力電圧検出部を接続し、待機指令部からの待機指令によって強制的に前記制御回路にフィードバックを行わせるためのスイッチを前記出力電圧検出部に接続し、前記第１の整流平滑回路のトランス２次巻線接続部よりさらに巻き上げて第２の整流平滑回路を接続し、この出力を前記制御回路に絶縁伝達を行うフィードバック部に接続し、前記スイッチのオンオフを切り替えて、オンのときにフィードバックを行わせ、オフのときに前記出力電圧検出部を動作させる、スイッチング電源装置。
【請求項２】  直流電源にトランスの１次巻線とスイッチング素子の直列回路
を接続し、前記スイッチング素子にこれをオンオフ制御する制御回路を接続し、
前記トランスの２次巻線に第１の整流平滑回路を接続し、この出力を負荷に供給
すると共に該出力に該出力の安定化を図る出力電圧検出部と第１のフィード
バック部を接続し、この出力電圧検出回路の信号を前記制御回路に絶縁伝達する
第１のフィードバック部と、前記第１の整流平滑回路のトランス２次巻線接続部
よりさらに巻線を巻き上げて第２の整流平滑回路を接続し、この出力に第２のフィー
ドバック部を接続し、出力待機指令部から待機指示があった時に前記第２のフィー
ドバック部から前記制御回路に絶縁伝達するスイッチング電源装置。
【請求項３】前記第２の整流平滑回路が、前記第１の整流平滑回路に接続された
と別巻きされた巻線に接続された請求項１及び請求項２記載のスイッチング電源装置。
【手続補正書】
【提出日】平成18年7月28日(2006.7.28)
【手続補正１】
【補正対象書類名】明細書
【補正対象項目名】００２６
【補正方法】変更
【補正の内容】
【００２６】
図１は、本発明の実施形態にかかる表示装置全体をあらわすブロック図である。
１．１は、ＴＶ装置であって、テレビ受信、ネットワークｓ１．１に接続された機器とのデータの送受信、リモコン１．２，１．３とのデータの送受信を行い、映像、音声、及び操作データ等を表示、及び音声出力する。１．２、１．３は、分離／合体可能なリモコンであって、単独、あるいは複数のＴＶ視聴者が、前記ＴＶ装置１．１、ＶＴＲ装置１．４などを制御、操作するのに使用するものである。１．４は、ビデオレコーダ（ＶＴＲ）であって、ＴＶ、その他画像、音声データの録画、再生を行う。これらは、後述のネットワークｓ１．１を通じて制御され、ＴＶ装置１．１に映像、音声を出力できる。
ｓ１．１は、ネットワークであって、前記ＴＶ装置１．１、ＶＴＲ１．４などを接続し、データの送受信を行うものである。
【手続補正２】
【補正対象書類名】明細書
【補正対象項目名】００３５
【補正方法】変更
【補正の内容】
【００３５】
１．１３０は、外部ｉ／Ｆ部であって、ネットワークｓ１．１を通して、ＴＶ装置１．１とＶＴＲ装置１．４間でデータの送受信を行う。
【手続補正３】
【補正対象書類名】明細書
【補正対象項目名】００３６
【補正方法】変更
【補正の内容】
【００３６】
リモコン制御部１．１４０は、赤外線を利用したリモコン送受信制御部であって、ＴＶ視聴者が操作する、後述のリモコン１．２、１．３とデータの送受信を行い、該データをシステム制御部１．１９０へ転送する。
【手続補正４】
【補正対象書類名】明細書
【補正対象項目名】００３７
【補正方法】変更
【補正の内容】
【００３７】
リモコン状態受信部１．１４２は、リモコンの分離／合体情報を親リモコン１．２より受信する受信部であって、後述リモコン１．２、１．３が分離もしくは合体されるときに、リモコン装置より送信される無線信号を受信し、システム制御部１．１９０へ転送するものである。
【手続補正５】
【補正対象書類名】明細書
【補正対象項目名】００４１
【補正方法】変更
【補正の内容】
【００４１】
同様に、音声制御部１．１２３を制御し、音声の合成、出力制御を行い、音声出力部１．１２４、音声送信部１．１２５への出力制御を行う。又、外部ｉ／Ｆ部１．１３０を制御し、ネットワークｓ１．１を通して、該ネットワークに接続されたＶＴＲ１．４を制御、データの送受信を行う。又、上記制御部１．１９０におけるこれらの制御は、リモコン制御部１．１４０よりの信号、又、リモコン状態受信部１．１４２よりの信号を判断し、適時行われる。又、この他に、ＴＶ装置１．１内部の状況、外部ｉ／Ｆ１．１３０よりの情報に基づいても制御される。
【手続補正６】
【補正対象書類名】明細書
【補正対象項目名】００７５
【補正方法】変更
【補正の内容】
【００７５】
音声制御部２．１２３は、第１の実施形態図２の１．１２３に加え、音声圧縮エンコード機能を有し、後述４１．３ａ、４１．３ｂ子リモコンにＴＶ装置の画面に対応する音声を圧縮エンコードし、４１．１４０統合送受信部へ出力する。
【手続補正書】
【提出日】平成18年10月18日(2006.10.18)
【手続補正１】
【補正対象書類名】特許請求の範囲
【補正対象項目名】請求項１４
【補正方法】変更
【補正の内容】
【請求項１４】
前記雑音抑圧フィルタ係数算出部は、
前記主信号のパワスペクトルを算出する第１の周波数分析部と、
前記減算部による減算後の雑音参照信号のパワスペクトルを算出する第２の周波数分析部と、
前記判定部によって前記レベル比が所定の値よりも小さい大きいと判定された場合にのみ、前記第１の周波数分析部によって算出されたパワスペクトルと、前記第２の周波数分析部によって算出されたパワスペクトルとのパワスペクトル比の時間平均を算出するパワスペクトル比演算部と、
パワスペクトル比演算部によって算出されたパワスペクトル比の時間平均と、前記第２の周波数分析部によって算出されたパワスペクトルとを乗算する乗算部と、
前記第１の周波数分析部によって算出されたパワスペクトルと、前記乗算部による乗算結果とに基づいて、前記雑音抑圧フィルタのフィルタ係数を算出する係数算出部とを含む、請求項１３に記載のマイクロホン装置。
【手続補正書】
【提出日】平成17年12月5日(2005.12.5)
【手続補正１】
【補正対象書類名】明細書
【補正対象項目名】発明の名称
【補正方法】変更
【補正の内容】
【発明の名称】撮像装置、及び撮像光学系の保持方法
【手続補正２】
【補正対象書類名】明細書
【補正対象項目名】特許請求の範囲
【補正方法】変更
【補正の内容】
【特許請求の範囲】
【請求項１】  撮影レンズを透過した被写体光を受光して光電変換する撮像素子と、
前記撮像素子の近傍で撮影光路上に配設された光学部材と、
前記撮像素子と前記光学部材の間に配設され、前記撮像素子と前記光学部材とを一体的に保持する保持部材とを有し、
前記保持部材は、再剥離性を有する粘着剤を用いて前記撮像素子と前記光学部材とを一体的に保持することを特徴とする撮像装置。
【請求項２】  前記保持部材は、開口部を有して前記撮像素子と前記光学部材の間に密閉空間を形成するスペーサとしても機能することを特徴とする請求項１に記載の撮像装置。
【請求項３】  前記保持部材は、開口部を有して前記撮像素子への入射光束を規制するマスク手段としても機能することを特徴とする請求項１又は２に記載の撮像装置。
【請求項４】  前記光学部材は、光学的なローパスフィルタであることを特徴とする請求項１〜３の何れかに記載の撮像装置。
【請求項５】  前記ローパスフィルタは、モワレの発生を防止する機能を有することを特徴とする請求項４に記載の撮像装置。
【請求項６】  前記ローパスフィルタは、所定の分光成分の入射を防止する機能を有することを特徴とする請求項４又は５に記載の撮像装置。
【請求項７】  前記粘着剤は、非自己粘着性の粘着剤であり、前記保持部材の両面に塗布されていることを特徴とする請求項１〜６の何れかに記載の撮像装置。
【請求項８】  前記粘着剤は、自己粘着性の粘着剤であり、前記保持部材の両面、前記光学部材を位置決め可能に取り付けるための枠体の該保持部材との対向面、及び前記撮像素子の表面に設けられた保護板の該保持部材との対向面に塗布されていることを特徴とする請求項１〜６の何れかに記載の撮像装置。
【請求項９】  前記粘着剤による粘着力は、前記撮像素子と前記保持部材とを粘着する粘着力よりも前記光学部材と前記保持部材とを粘着する粘着力の方が小さくなっていることを特徴とする請求項１〜８の何れかに記載の撮像装置。
【請求項１０】  前記粘着力の大小は、前記粘着剤として互いに異なる種類の粘着剤を使用することにより実現することを特徴とする請求項９に記載の撮像装置。
【請求項１１】  前記粘着力の大小は、前記粘着剤として同一種類の粘着剤を使用した場合に、該粘着剤の塗布厚又は塗布面積の大小により実現することを特徴とする請求項９に記載の撮像装置。
【請求項１２】  前記粘着剤による粘着部には、粘着されていない箇所が部分的に存在するのを許容することを特徴とする請求項１〜１１の何れかに記載の撮像装置。
【請求項１３】  前記撮像素子と前記光学部材と前記保持部材は、所定のベース部材により一体的に保持されることを特徴とする請求項１〜１２の何れかに記載の撮像装置。
【請求項１４】  撮影レンズを透過した被写体光を受光して光電変換する撮像素子と、前記撮像素子の近傍で撮影光路上に配設された光学部材と、前記撮像素子と前記光学部材の間に配設され、前記撮像素子と前記光学部材とを一体的に保持する保持部材とを有する撮像光学系の保持方法であって、前記保持部材は、再剥離性を有する粘着剤を用いて前記撮像素子と前記光学部材とを一体的に保持することを特徴とする撮像光学系の保持方法。
【手続補正３】
【補正対象書類名】明細書
【補正対象項目名】００６９
【補正方法】削除
【補正の内容】
【手続補正４】
【補正対象書類名】明細書
【補正対象項目名】００７０
【補正方法】削除
【補正の内容】
【手続補正５】
【補正対象書類名】明細書
【補正対象項目名】００７１
【補正方法】削除
【補正の内容】
【手続補正６】
【補正対象書類名】明細書
【補正対象項目名】００７２
【補正方法】削除
【補正の内容】
【手続補正７】
【補正対象書類名】明細書
【補正対象項目名】００７３
【補正方法】削除
【補正の内容】
【手続補正８】
【補正対象書類名】明細書
【補正対象項目名】００７４
【補正方法】削除
【補正の内容】
【手続補正９】
【補正対象書類名】明細書
【補正対象項目名】００７５
【補正方法】削除
【補正の内容】
【手続補正１０】
【補正対象書類名】明細書
【補正対象項目名】００７６
【補正方法】削除
【補正の内容】
【手続補正１１】
【補正対象書類名】明細書
【補正対象項目名】００７７
【補正方法】削除
【補正の内容】
【手続補正１２】
【補正対象書類名】明細書
【補正対象項目名】００７８
【補正方法】削除
【補正の内容】
【手続補正１３】
【補正対象書類名】明細書
【補正対象項目名】００７９
【補正方法】削除
【補正の内容】
【手続補正１４】
【補正対象書類名】明細書
【補正対象項目名】００８０
【補正方法】削除
【補正の内容】
【手続補正１５】
【補正対象書類名】明細書
【補正対象項目名】００８１
【補正方法】削除
【補正の内容】
【手続補正１６】
【補正対象書類名】明細書
【補正対象項目名】００８２
【補正方法】削除
【補正の内容】
【手続補正書】
【提出日】平成17年11月14日(2005.11.14)
【手続補正１】
【補正対象書類名】明細書
【補正対象項目名】特許請求の範囲
【補正方法】変更
【補正の内容】
【特許請求の範囲】
【請求項１】
統括的な制御を行う主制御装置と、該主制御装置とは別体で該主制御装置からの信号を受けて各々の制御を行うサブ制御装置とを備える遊技機において、
前記主制御装置は、いずれかの前記サブ制御装置との双方向通信が可能にされたＣＰＵ（以下、「双方向ＣＰＵ」）と、前記サブ制御装置への信号を送るのみの一方向通信が可能にされているか前記サブ制御装置とは接続されていないＣＰＵ（以下、「隔離ＣＰＵ」）とを備えており、
前記隔離ＣＰＵは、遊技者にとって有利な特別遊技を実行するか否かの決定処理及び遊技者にとって有利な状態と不利な状態に変化する電動役物の制御を行い、
前記双方向ＣＰＵと前記隔離ＣＰＵとは前記隔離ＣＰＵから前記双方向ＣＰＵへの一方向通信のみ可能に接続されている
ことを特徴とする遊技機。
【請求項２】
請求項１記載の遊技機において、
前記双方向ＣＰＵと双方向通信可能とされるサブ制御装置は、払出装置を制御する払出制御装置であることを特徴とする遊技機。
【手続補正２】
【補正対象書類名】明細書
【補正対象項目名】００１０
【補正方法】変更
【補正の内容】
【００１０】
【課題を解決するための手段および発明の効果】
請求項１記載の遊技機は、統括的な制御を行う主制御装置と、該主制御装置とは別体で該主制御装置からの信号を受けて各々の制御を行うサブ制御装置とを備える遊技機において、前記主制御装置は、いずれかの前記サブ制御装置との双方向通信が可能にされた双方向ＣＰＵと、前記サブ制御装置への信号を送るのみの一方向通信が可能にされているか前記サブ制御装置とは接続されていない隔離ＣＰＵとを備えており、
前記隔離ＣＰＵは、遊技者にとって有利な特別遊技を実行するか否かの決定処理及び遊技者にとって有利な状態と不利な状態に変化する電動役物の制御を行い、
前記双方向ＣＰＵと前記隔離ＣＰＵとは前記隔離ＣＰＵから前記双方向ＣＰＵへの一方向通信のみ可能に接続されていることを特徴とする。
【手続補正３】
【補正対象書類名】明細書
【補正対象項目名】００１１
【補正方法】変更
【補正の内容】
【００１１】
請求項１記載の遊技機は、隔離ＣＰＵにて、遊技者にとって有利な特別遊技を実行するか否かの決定処理及び遊技者にとって有利な状態と不利な状態に変化する電動役物の制御を行う。その一方で、双方向ＣＰＵでサブ制御装置と信号の送受信を行う構成が可能となる。
このため、主制御装置の負担を過剰にしなくともより複雑、高精度の制御が可能になる。
また、双方向ＣＰＵによる双方向通信では、例えばサブ制御装置の故障等で主制御装置からの信号がうまく受信されなかった場合でも、こうした通信不良を即座に発見でき、対処できる。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
電動役物の制御は、遊技者にとって有利な特別遊技を実行するか否かの決定処理と同様に不正行為の対象とされる可能性が高いが、これを隔離ＣＰＵが制御するので、従来（一方向通信の場合）と同等の不正防止が可能になる。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
また、請求項１記載の遊技機においては、前記双方向ＣＰＵと前記隔離ＣＰＵとは前記隔離ＣＰＵから前記双方向ＣＰＵへの一方向通信のみ可能に接続されているから、例えばサブ制御装置を経由して或いはサブ制御装置との通信回線を利用して、双方向ＣＰＵに不正な信号が入力されても、これが隔離ＣＰＵに送られることはなく、確実な不正防止が可能になる。また、故意や故障によりサブ制御装置との通信回線から主制御装置に設定値以上の電気が流れた場合にも、被害を最小限に抑えられる。
【手続補正８】
【補正対象書類名】明細書
【補正対象項目名】００１７
【補正方法】変更
【補正の内容】
【００１７】
請求項２記載の遊技機は、請求項１記載の遊技機において、前記双方向ＣＰＵと双方向通信可能とされるサブ制御装置は、払出装置を制御する払出制御装置であるから、例えば通信不良などで賞球の払出しが行われなかったり不正確になるのを防止でき、より正確な払出しが可能になる。
【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】
貨幣又は貨幣に相当する媒体の挿入手段、及び、該媒体に記憶されているポイントデータを読み書き可能な手段のうち少なくともいずれか一方の手段と、
遊戯用メダルの投入手段と、
前記貨幣又は前記媒体に記憶されているポイントデータを遊戯用メダルに換算する換算手段と、
遊戯者のリクエストに応じて、前記換算された遊戯用メダルを払い出し可能な両替手段と、
前記貨幣又は前記媒体に記憶されているポイントデータが前記遊戯用メダルに換算されたときに該遊戯用メダルを払い出すことなく、及び／又は、前記遊戯用メダルが投入されたときに、電子遊戯用プログラムを実行し、該電子遊戯用プログラムの実行による電子遊戯の結果に基づいて獲得メダル量を決定する情報処理手段と、
前記遊戯者が獲得した遊戯用メダルを払い出す獲得メダル払い出し手段と、
を備える電子遊戯装置。
【請求項２】
前記情報処理手段は、前記換算手段による換算結果と、前記遊戯用メダルの投入結果と、を区別して表示手段に表示させる処理を実行するものである、
請求項１記載の電子遊戯装置。
【請求項３】
前記情報処理手段は、前記換算された遊戯用メダルを払い出すことなく前記電子遊戯用プログラムを実行する場合に、該電子遊戯用プログラムとして用意されたプログラムのうち、前記遊戯用メダルの投入によって前記電子遊戯用プログラムを実行する場合に比較して電子遊戯として遊戯者に有利な内容のプログラムを実行するものである、
請求項１又は２記載の電子遊戯装置。
【請求項４】
前記情報処理手段は、前記電子遊戯用プログラムの実行に必要な対価の全てが前記換算された遊戯用メダルによって充当された場合、該電子遊戯用プログラムとして用意されたプログラムのうち、遊戯者に最も有利な内容のプログラムを実行するものである、
請求項３記載の電子遊戯装置。
【請求項５】
前記情報処理手段は、前記換算された遊戯用メダルを、前記投入された遊戯用メダルより優先して前記電子遊戯用プログラムの実行に必要な対価として充当するものである、
請求項１〜４のいずれか１項記載の電子遊戯装置。
【請求項６】
前記情報処理手段は、前記投入された遊戯用メダルのうち、前記電子遊戯用プログラムの実行に必要な対価を超える余り分を、他の前記電子遊戯用プログラムの実行に必要な対価として充当するものである、
請求項５記載の電子遊戯装置。
【請求項７】
前記情報処理手段は、前記余り分を区別して前記表示手段に表示するものである、
請求項６記載の電子遊戯装置。
【請求項８】
前記情報処理手段は、前記換算された遊戯用メダルが払い出された後、遊戯用メダルを投入したことを判定し、前記有利な内容のプログラムを実行するものである、
請求項３又は４記載の電子遊戯装置。
【請求項９】
前記情報処理手段は、前記遊戯用メダルが投入されたときに実行される電子遊戯用プログラムの情報処理を、前記貨幣又は前記媒体に記憶されているポイントデータが前記遊戯用メダルに換算されたときに該遊戯用メダルを払い出すことなく行われる電子遊戯用プログラムの情報処理に変更する管理者用変更手段を備える、
請求項１〜８のいずれか１項記載の電子遊戯装置。
【請求項１０】
遊戯用メダル、貨幣、及び貨幣に相当する媒体に記憶されているポイントデータのうちいずれによっても電子遊戯を実行可能な電子遊戯用プログラムを備えた電子遊戯装置であって、
前記電子遊戯用プログラムの実行に必要な対価が、前記貨幣又は前記媒体に記憶されているポイントデータによって充当されたか否か判断する手段と、
前記対価が、前記貨幣又は前記媒体に記憶されているポイントデータよって充当されたと判断された場合に、前記電子遊戯用プログラムのうち、遊戯者に有利な内容のプログラムを実行する手段と、
を備える電子遊戯装置。
【請求項１１】
前記対価の全てが前記貨幣又は前記媒体によって充当されたと判断された場合に、前記電子遊戯用プログラムとして用意されたプログラムのうち、遊戯者に最も有利な内容のプログラムが実行される、
請求項１０記載の電子遊戯装置。
【請求項１２】
コンピュータを請求項１〜１１のいずれか１項に記載の電子遊戯装置に備わる各手段として機能させるためのプログラム。
【請求項１３】
コンピュータを請求項１〜１１のいずれか１項に記載の電子遊戯装置に備わる各手段として機能させるためのプログラムを記録したコンピュータ読み取り可能な記録媒体。
【手続補正書】
【提出日】平成17年11月28日(2005.11.28)
【手続補正１】
【補正対象書類名】明細書
【補正対象項目名】特許請求の範囲
【補正方法】変更
【補正の内容】
【特許請求の範囲】
【請求項１】
遊技盤に円弧状のレールにより遊技領域を形成したパチンコ機であって、前記レールに遊技球が通過する入賞口を形成すると共に該入賞口にレールの外側で遊技球を遊技盤の裏面へ案内する案内通路を設けたことを特徴とするパチンコ機。
【請求項２】
前記案内通路は入賞口ケースに設けられ、前記入賞口ケースの前面に前記案内通路を通過する遊技球を視認できる開口窓を開設したことを特徴とする請求項１記載のパチンコ機。
【請求項３】
前記入賞口ケースは遊技球感知センサーと表示手段とを備え、前記遊技球感知センサーにより遊技球を検知すると共に前記表示手段により入賞を遊技者に報知するようにしたことを特徴とする請求項２記載のパチンコ機。
【請求項４】
前記レールの内側にサイドランプを設けると共に該サイドランプに前記入賞口に遊技球を導く誘導路を設けたことを特徴とする請求項１乃至３のいずれかに記載のパチンコ機。
【手続補正２】
【補正対象書類名】明細書
【補正対象項目名】０００８
【補正方法】変更
【補正の内容】
【０００８】
【課題を解決するための手段】
上記課題を解決するために本発明の請求項１記載のパチンコ機は、遊技盤に円弧状のレールにより遊技領域を形成したパチンコ機であって、前記レールに遊技球が通過する入賞口を形成すると共に該入賞口にレールの外側で遊技球を遊技盤の裏面へ案内する案内通路を設けたことを特徴とする。遊技領域は円弧状の内、外レールによって形成し、該内外レールの接続部に球止め部材を設け、前記球止め部材とアウト口間の内レールに遊技球が通過する切欠き部を形成して入賞口とし、該入賞口は、前記内レールの外側で遊技球を遊技盤の裏面へ案内する案内通路を設け、前記切欠き部に入った遊技球は遊技盤に設けられた貫通孔から遊技盤の裏面へ排出される構成とするのがよい。また、前記入賞口の近傍に障碍釘を設けるのが好ましく、遊技球が障碍釘に当接して入賞口に入賞するようにするのがよい。
【手続補正３】
【補正対象書類名】明細書
【補正対象項目名】０００９
【補正方法】変更
【補正の内容】
【０００９】
また請求項２記載の発明は、請求項１記載の発明において、前記案内通路は入賞口ケースに設けられ、前記入賞口ケースの前面に前記案内通路を通過する遊技球を視認できる開口窓を開設したことを特徴とする。
請求項３記載の発明は、請求項２記載の発明において、前記入賞口ケースは遊技球感知センサーと表示手段とを備え、前記遊技球感知センサーにより遊技球を検知すると共に前記表示手段により入賞を遊技者に報知するようにしたことを特徴とする。入賞口ケースはレールを形成するレール壁面を有するのが好ましく、レール壁面に切欠き部を形成して入賞口とし、該入賞口ケースを貫通孔に装着するのがよい。
また請求項４記載の発明は、請求項１乃至３のいずれかに記載の発明において、レールの内側にサイドランプを設けると共に該サイドランプに前記入賞口に遊技球を導く誘導路を設けたことを特徴とする。誘導路はサイドランプを横断して設け、該サイドランプの誘導路を介して入賞口に遊技球が入るようにするのがよい。
【手続補正書】
【提出日】平成17年12月12日(2005.12.12)
【手続補正１】
【補正対象書類名】明細書
【補正対象項目名】特許請求の範囲
【補正方法】変更
【補正の内容】
【特許請求の範囲】
【請求項１】
核酸の増幅産物に関する情報を得る方法であって、以下のことを具備する方法；
（１）試料標本中の標的塩基配列を増幅するためのプライマーと、少なくとも１種類の塩基が標識物質により標識されたｄＮＴＰｓが存在し、適切な増幅が得られる条件において、標的塩基配列を増幅する工程と、
（２）前記（１）の工程と同時またはそれに続いて、前記試料標本について、前記標識物質に由来する検出可能な信号を複数の時点で継時的に検出する工程と、
（３）前記（２）の工程により得られた当該信号の変化を基に、前記試料標本に生じた増幅産物に関する情報を得る工程。
【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】  泥奨の鋳込み成形により得られた所望の形態の鋳込み成形体を、焼成して得られた成型品であることを特徴とする火葬用副葬品。
【請求項２】  鋳込み成形体が、電気石に石英を混合した泥奨の鋳込み成形により得られたものであることを特徴とする請求項１記載の火葬用副葬品。
【請求項３】  火葬時に成型品の外部を被包する耐熱性の布状保護材と成型品との組み合わせからなることを特徴とする請求項１又は２記載の火葬用副葬品。
【請求項４】  布状保護材が、セラミックウールとセラミック布地からなることを特徴とする請求項３記載の火葬用副葬品。
【請求項５】  粉末からなる泥奨を、鋳込み型に鋳込んで所望の形態に成形し、該成形体を乾燥後、１０００℃以上の温度で焼成することを特徴とする火葬用副葬品の製造方法。
【請求項６】 粉末からなる泥奨を、鋳込み型に鋳込んで所望の形態に成形し、該成形体を乾燥後、１時間１００℃の割合で昇温して８００〜９００℃の温度で仮焼成し、その後所望の加工を施した後１時間１００℃の割合で昇温して１２００℃の温度で本焼成するようにしたことを特徴とする請求項５記載の火葬用副葬品の製造方法。
【請求項７】 泥奨が、電気石単体若しくは石英を混合した粉末からなることを特徴とする請求項５又は６記載の製造方法。
【手続補正２】
【補正対象書類名】明細書
【補正対象項目名】０００６
【補正方法】変更
【補正の内容】
【０００６】
【課題を解決するための手段】
上記課題を解決するためにこの発明が採った手段は、泥奨の鋳込み成形により得られた所望の形態の鋳込み成形体を、仮焼成及び本焼成して得られた成型品であることを特徴とする。鋳込み成形体は、電気石若しくは電気石に石英を混合した泥奨の鋳込み成形により得られたものが好ましい。
【手続補正３】
【補正対象書類名】明細書
【補正対象項目名】０００７
【補正方法】変更
【補正の内容】
【０００７】
火葬時に成型品の外部を耐熱性の布状保護材で被包するようにしたことを特徴とし、布状保護材は、セラミックウールとセラミック布地からなることを特徴とする。
【手続補正書】
【提出日】平成18年9月7日(2006.9.7)
【手続補正１】
【補正対象書類名】特許請求の範囲
【補正対象項目名】全文
【補正方法】変更
【補正の内容】
【特許請求の範囲】
【請求項１】
以下の工程を有するＩＣカードの製造方法：
（ａ）表面および裏面を有し、ボンディングホールを有するテープ基板を準備する工程、
（ｂ）前記テープ基板の裏面に、複数のコンタクトパターンを形成する工程、
（ｃ）前記テープ基板の表面に、複数の半導体チップを搭載する工程、
（ｄ）ワイヤを用いることで、前記ボンディングホールを介して、前記半導体チップと前記コンタクトパターンとを接続する工程、
（ｅ）第１金型および第２金型を用いることで、前記テープ基板の表面および裏面を挟み込む工程、
（ｆ）前記第１金型および第２金型の間にモールド樹脂を注入することで、前記半導体チップおよび前記テープ基板の表面を封止する工程、
（ｇ）前記テープ基板を切断し、前記モールド樹脂を個片化する工程。
【請求項２】
請求項１記載のＩＣカードの製造方法において、
前記（ｅ）工程後、前記ＩＣカードの平面外形寸法は、１５ｍｍ×２５ｍｍとなるように、個片化されることを特徴とするＩＣカードの製造方法。
【請求項３】
請求項１または２記載のＩＣカードの製造方法において、
前記第１金型の側壁にテーパが設けられており、
前記（ｆ）工程において、前記モールド樹脂の側壁にテーパが形成されることを特徴とするＩＣカードの製造方法。
【請求項４】
請求項３記載のＩＣカードの製造方法において、
前記モールド樹脂の側壁のテーパ角度は、５度〜３０度であることを特徴とするＩＣカードの製造方法。
【請求項５】
請求項１〜４のいずれか一項に記載のＩＣカードの製造方法において、
前記（ｂ）工程は、
（ｂ１）前記テープ基板の裏面に導電体膜を形成する工程、
（ｂ２）前記導電体膜をパターニングすることにより、複数のコンタクトパターンおよび前記コンタクトパターンと接続する給電配線を形成する工程、
（ｂ３）前記給電配線を介して前記コンタクトパターンに電流を供給することで、前記導電体膜上にメッキ層を形成する工程、
を有することを特徴とするＩＣカードの製造方法。
【請求項６】
請求項５記載のＩＣカードの製造方法において、
前記第１金型はエアベントを有し、
前記（ｅ）工程において、前記エアベントは、前記給電配線が形成された領域と重なる領域に配置されることを特徴とするＩＣカードの製造方法。
【請求項７】
請求項５または６記載のＩＣカードの製造方法において、
前記第２金型は溝を有し、
前記（ｅ）工程において、前記溝は、前記給電配線が形成された領域と重なる領域に配置されることを特徴とするＩＣカードの製造方法。
【請求項８】
請求項１〜７のいずれか一項に記載のＩＣカードの製造方法において、
（ｈ）前記テープ基板の表面に、ＵＳＢ発信子を搭載する工程、
をさらに有し、
前記（ｆ）工程において、前記ＵＳＢ発信子も前記モールド樹脂で封止されることを特徴とするＩＣカードの製造方法。
【請求項９】
請求項１〜８のいずれか一項に記載のＩＣカードの製造方法において、
前記複数の半導体チップは、ＥＥＰＲＯＭ、フラッシュメモリチップおよび前記フラッシュメモリ用のインターフェイスチップを含むことを特徴とするＩＣカードの製造方法。
【手続補正２】
【補正対象書類名】明細書
【補正対象項目名】発明の名称
【補正方法】変更
【補正の内容】
【発明の名称】ＩＣカードの製造方法